(57)【特許請求の範囲】
【請求項１】
容器体の口部に上方付勢状態で立設されるステムと、
ステムの上端に取り付けられるとともに、ノズル孔が形成された押下ヘッドと、
前記ステムが上下動自在に挿入された挿通孔を有する天壁部、および天壁部の外周縁から下方に向けて延設された装着周壁部を備え、容器体の口部に装着される装着キャップと、が備えられ、
前記押下ヘッドをステムとともに押し下げることにより、容器体内の液体が前記ステムの内部を通してノズル孔から吐出される吐出器であって、
前記押下ヘッドには第１筒体が下方に向けて延設されるとともに、当該吐出器において前記第１筒体の下端縁と前記装着キャップの天壁部との間に位置する中間部分には、一端縁が前記第１筒体の下端縁に下側から近接若しくは当接し、他端縁が前記装着キャップの天壁部上に位置する筒状のストッパ部材が着脱可能に嵌合され、
前記ストッパ部材は、前記中間部分に嵌合する一端側の小径部と他端側の大径部とを有する二段筒状に形成されるとともに、その軸線方向における全長にわたって延びる開口部が形成されて上面視Ｃ字状に形成され、前記大径部の内径は前記第１筒体の外径よりも大きくなっており、
前記ストッパ部材を上下反転させ、前記一端縁を前記装着キャップの前記天壁部上に位置させた状態で、前記小径部を前記中間部分に嵌合することで、前記第１筒体の下端縁と、前記ストッパ部材の内部における前記小径部と前記大径部との連結部分とが、上下方向で対向するように構成されていることを特徴とする吐出器。
【請求項２】
請求項１記載の吐出器であって、
前記押下ヘッドには、下方に向けて延設されて前記ステムが嵌合されるとともに、前記第１筒体により径方向外方から囲繞された嵌合筒部が備えられ、
前記装着キャップにおいて前記挿通孔の外周縁部には、第２筒体が上方に向けて延設され、この第２筒体の内側および挿通孔内に前記嵌合筒部が上下動自在に挿入され、前記中間部分は当該第２筒体となっていることを特徴とする吐出器。
【請求項３】
請求項１または２記載の吐出器であって、
前記ストッパ部材の小径部の内周面には、その周方向に間隔をあけて複数の支持突部が突設され、これらの支持突部が前記中間部分の外周面に当接していることを特徴とする吐出器。
【請求項４】
請求項１から３のいずれか１項に記載の吐出器であって、
前記ストッパ部材には、前記小径部と大径部とを連結するフランジ状部が備えられ、このフランジ状部に貫通孔が形成されていることを特徴とする吐出器。
【請求項５】
請求項１から４のいずれか１項に記載の吐出器であって、
前記小径部および前記大径部にはそれぞれ、前記軸線方向における全長にわたって延びる薄肉部が形成されており、小径部と大径部との連結部分のうち前記薄肉部と対応する位置に貫通孔が形成されていることを特徴とする吐出器。
【請求項６】
請求項１から５のいずれか１項に記載の吐出器であって、
前記第１筒体の外周面、および前記大径部の内周面にはそれぞれ、ストッパ部材を上下反転させた状態で前記中間部分の外面に小径部を嵌合して前記押下ヘッドを押し下げたときに、互いに係合可能な係合部が各別に形成され、
ストッパ部材の小径部は、前記中間部分の外面に上下摺動自在に嵌合されていることを特徴とする吐出器。
【請求項７】
請求項１から６のいずれか１項に記載の吐出器であって、
前記押下ヘッドおよびステムに連係した液用ピストンが内部を上下方向に摺動する液用シリンダと、
前記押下ヘッドに連係した空気用ピストンが内部を上下方向に摺動するとともに、前記装着キャップの内側に取り付けられた空気用シリンダと、
前記液用シリンダからの液体と空気用シリンダからの空気とが合流する気液混合室と、
前記ノズル孔と気液混合室との間に設置された発泡部材と、を備え、
容器体の口部に装着した状態で前記押下ヘッドを押し下げて液用シリンダ内の液体および空気用シリンダ内の空気を加圧することにより、これらの液体および空気を、気液混合室に移送して合流させ発泡部材を通して発泡させて前記ノズル孔から吐出する構成とされたことを特徴とする吐出器。
【請求項８】
容器体の口部に吐出器が装着された吐出器付き容器であって、
前記吐出器は、請求項１から７のいずれか１項に記載の吐出器とされ、前記容器体には液体洗浄剤組成物または殺菌剤組成物が収納されていることを特徴とする吐出器付き容器。
【発明の詳細な説明】
【技術分野】
【０００１】
本発明は吐出器および吐出器付き容器に関するものである。
【背景技術】
【０００２】
この種の吐出器として、従来から、容器体の口部に上方付勢状態で立設されるステムと、ステムの上端に取り付けられるとともに、ノズル孔が形成された押下ヘッドと、前記ステムが上下動自在に挿入された挿通孔を有する天壁部、および天壁部の外周縁から下方に向けて延設された装着周壁部を備え、容器体の口部に装着される装着キャップと、が備えられ、前記押下ヘッドをステムとともに押し下げることにより、容器体内の液体が前記ステムの内部を通してノズル孔から吐出される構成が知られている。
この吐出器は一般に、内容物が充填された容器体の口部に装着された状態で市場に流通しているので、この流通過程で、押下ヘッドが例えば不意に作用した外力等によって押し下げられ内容物がノズル孔から吐出されてしまうおそれがある。そこで、従来から例えば下記特許文献１に示されるように、上昇端位置に位置する押下ヘッドと装着キャップとの間に、ストッパ部材を離脱可能に介装する手段が提案されている。
【特許文献１】実開平０６−８１６５３号公報
【発明の開示】
【発明が解決しようとする課題】
【０００３】
ところで近年では、押下ヘッドの押下ストロークを可変にすることで吐出量を可変にした吐出器が要望されている。
【０００４】
本発明は、このような事情を考慮してなされたもので、需要者において内容物の使用に際し一旦ストッパ部材を取り外しても、再度これを取り付けて用いることが可能で、しかも押下ヘッドの押下ストロークを可変にすることができる吐出器および吐出器付き容器を提供することを目的とする。
【課題を解決するための手段】
【０００５】
上記課題を解決して、このような目的を達成するために、本発明の吐出器は、容器体の口部に上方付勢状態で立設されるステムと、ステムの上端に取り付けられるとともに、ノズル孔が形成された押下ヘッドと、前記ステムが上下動自在に挿入された挿通孔を有する天壁部、および天壁部の外周縁から下方に向けて延設された装着周壁部を備え、容器体の口部に装着される装着キャップと、が備えられ、前記押下ヘッドをステムとともに押し下げることにより、容器体内の液体が前記ステムの内部を通してノズル孔から吐出される吐出器であって、前記押下ヘッドには第１筒体が下方に向けて延設されるとともに、当該吐出器において前記第１筒体の下端縁と前記装着キャップの天壁部との間に位置する中間部分には、一端縁が前記第１筒体の下端縁に下側から近接若しくは当接し、他端縁が前記装着キャップの天壁部上に位置する筒状のストッパ部材が着脱可能に嵌合され、前記ストッパ部材は、前記中間部分に嵌合する一端側の小径部と他端側の大径部とを有する二段筒状に形成されるとともに、その軸線方向における全長にわたって延びる開口部が形成されて上面視Ｃ字状に形成され、前記大径部の内径は前記第１筒体の外径よりも大きくなっており、前記ストッパ部材を上下反転させ、前記一端縁を前記装着キャップの前記天壁部上に位置させた状態で、前記小径部を前記中間部分に嵌合することで、前記第１筒体の下端縁と、前記ストッパ部材の内部における前記小径部と前記大径部との連結部分とが、上下方向で対向するように構成されていることを特徴とする。
この発明では、前記中間部分に、一端縁が第１筒体の下端縁に下側から近接若しくは当接し、他端縁が装着キャップの天壁部上に位置するストッパ部材が着脱可能に嵌合されているので、流通過程で、押下ヘッドが例えば不意に作用した外力等によって押し下げられようとしても、この移動をストッパ部材により阻止することが可能になり、内容物がノズル孔から吐出されるのを防ぐことができる。
しかも、ストッパ部材が、その軸線方向における全長にわたって延びる開口部が形成された上面視Ｃ字状に形成されているので、前記開口部の幅を広げるようにこのストッパ部材を弾性変形させ易くすることが可能になり、ストッパ部材を容易に前記中間部分に着脱することができる。したがって、ストッパ部材を一旦取り外した後に再度これを取り付けて用いることができるとともに、操作性を向上させることができる。
さらにまた、ストッパ部材を前記中間部分から一旦取り外した後に上下反転させて前記一端縁を装着キャップの天壁部上に位置させた状態で、小径部を前記中間部分の外面に嵌合すると、前記大径部の内径が第１筒体の外径よりも大きくなっているので、この第１筒体の下端縁と、ストッパ部材の内部における小径部と大径部との連結部分とが、上下方向で対向することになる。すなわち、ストッパ部材を上下反転させて前記中間部分の外面に小径部を嵌合することにより、押下ヘッドの押下ストロークを、ストッパ部材を取り外したときの押下ストロークと比べて小径部の高さ分だけ小さくすることが可能になり、押下ヘッドの押下ストロークを可変にすることができる。
【０００６】
ここで、前記押下ヘッドには、下方に向けて延設されて前記ステムが嵌合されるとともに、前記第１筒体により径方向外方から囲繞された嵌合筒部が備えられ、前記装着キャップにおいて前記挿通孔の外周縁部には、第２筒体が上方に向けて延設され、この第２筒体の内側および挿通孔内に前記嵌合筒部が上下動自在に挿入され、前記中間部分は当該第２筒体となってもよい。
【０００７】
さらに、前記ストッパ部材の小径部の内周面には、その周方向に間隔をあけて複数の支持突部が突設され、これらの支持突部が前記中間部分の外周面に当接してもよい。
この場合、ストッパ部材の小径部の内周面に突設された支持突部が前記中間部分の外周面に当接しているので、小径部の内周面と前記中間部分の外周面との間に隙間が設けられることになり、これらが互いに密接することによってストッパ部材が前記中間部分から取り外し難くなるのを防止することができる。
【０００８】
また、前記ストッパ部材には、前記小径部と大径部とを連結するフランジ状部が備えられ、このフランジ状部に貫通孔が形成されてもよい。
この場合、小径部と大径部との間のフランジ状部に貫通孔が形成されているので、前述のようにストッパ部材を上下反転させた状態で前記中間部分の外面に小径部を嵌合して内容物を使用する過程で、ストッパ部材の内部に大径部側の開口部から水等が進入し易くなったとしても、この水等を前記貫通孔を通して外部に排出し易くすることが可能になる。
【０００９】
さらに、前記小径部および前記大径部にはそれぞれ、前記軸線方向における全長にわたって延びる薄肉部が形成されており、小径部と大径部との連結部分のうち前記薄肉部と対応する位置に貫通孔が形成されてもよい。
この場合、前記中間部分が内部に嵌合される小径部および前記大径部に薄肉部が形成され、しかも小径部と大径部との連結部分のうち前記薄肉部と対応する位置に貫通孔が形成されているので、前記開口部の幅を広げるように変形させ易くすることが可能になり、このストッパ部材を前記中間部分に容易に着脱することができる。
【００１０】
また、前記ストッパ部材の外周面には径方向外方に向けてつまみ部が突設されてもよい。
この場合、ストッパ部材につまみ部が設けられているので、このつまみ部をつまんでストッパ部材を前記中間部分に対して径方向外方に向けて引っ張ることで容易に前記中間部分から取り外すことが可能になる。
ここで、つまみ部を小径部の外周面に設け、このつまみ部の先端を、前記大径部の外周面よりも径方向内方に位置させる、若しくはストッパ部材の平面視で前記大径部の外周面上に位置させてもよい。
この場合、ストッパ部材につまみ部を設けたことによって、吐出器やこの吐出器が装着された容器の搬送性が害されるのを防ぐことができる。
【００１１】
さらに、前記第１筒体の外周面、および前記大径部の内周面にはそれぞれ、ストッパ部材を上下反転させた状態で前記中間部分の外面に小径部を嵌合して前記押下ヘッドを押し下げたときに、互いに係合可能な係合部が各別に形成され、ストッパ部材の小径部は、前記中間部分の外面に上下摺動自在に嵌合されてもよい。
この場合、ストッパ部材を前述のように上下反転させて前記中間部分に取り付けた後に押下ヘッドを押し下げると、第１筒体が大径部内に進入し、第１筒体の外周面および大径部の内周面にそれぞれ形成された各係合部が互いに係合することになる。そして、押下ヘッドの押し下げを解除すると、第１筒体が大径部内に進入したままの状態で押下ヘッドとともにストッパ部材も上昇し、その後、押下ヘッドの上下動にストッパ部材が追従して、このストッパ部材の一端縁が装着キャップの天壁部に対して上下方向に接近離間することになる。
このように、ストッパ部材を上下反転させた状態で前記中間部分の外面に小径部を嵌合して内容物を使用する過程で、第１筒体を大径部内に進入させておくことが可能になり、ストッパ部材の内部に大径部側の開口部から水等を入り難くすることができる。
【００１２】
この構成において、前述のようにストッパ部材の小径部の内周面に支持突部を突設し、この支持突部を前記中間部分の外周面に当接させるようにすると、押下ヘッドの上下動にストッパ部材が追従する際に、前記中間部分の外周面とストッパ部材の小径部の内周面との間に発生する摩擦力を抑えることが可能になり、例えば押下ヘッドの押し下げを解除しても押下ヘッドおよびストッパ部材が上昇端位置まで戻れなくなる等といった不具合の発生を防ぐことができる。
【００１３】
ここで、前記大径部の内周面に形成された係合部を、径方向内方に向けて突出した係合突部とした場合には、この突部は大径部の内周面に周方向に間隔をあけて複数形成するとともに、大径部において各係合突部に小径部側から各別に連なる複数の連設部分からそれぞれ、小径部と大径部との連結部分において各係合突部の径方向内方端よりも径方向内方に位置する部分に至る貫通孔を各別に形成するのが好ましい。
なお、この貫通孔の周長は、係合突部の周長と同等にすることが好ましいが、係合突部の周長よりも長くしてもよい。
この場合、ストッパ部材を金型内に樹脂を供給して成形する場合に、金型構造が複雑になることを防止でき、かつ型開き時に係合突部に大きな負荷が作用して変形するのを防ぐことが可能になり、係合突部を精度良く形成することができる。
【００１４】
さらに、前記押下ヘッドおよびステムに連係した液用ピストンが内部を上下方向に摺動する液用シリンダと、前記押下ヘッドに連係した空気用ピストンが内部を上下方向に摺動するとともに、前記装着キャップの内側に取り付けられた空気用シリンダと、前記液用シリンダからの液体と空気用シリンダからの空気とが合流する気液混合室と、前記ノズル孔と気液混合室との間に設置された発泡部材と、を備え、容器体の口部に装着した状態で前記押下ヘッドを押し下げて液用シリンダ内の液体および空気用シリンダ内の空気を加圧することにより、これらの液体および空気を、気液混合室に移送して合流させ発泡部材を通して発泡させて前記ノズル孔から吐出する構成とされてもよい。
この場合、前述の作用効果を有するいわゆるフォーマポンプが得られる。
【００１５】
また、本発明の吐出器付き容器は、容器体の口部に吐出器が装着された吐出器付き容器であって、前記吐出器は本発明の吐出器とされ、前記容器体には液体洗浄剤組成物または殺菌剤組成物が収納されていることを特徴とする。
【発明の効果】
【００１６】
この発明に係る吐出器および吐出器付き容器によれば、需要者において内容物の使用に際し一旦ストッパ部材を取り外しても、再度これを取り付けて用いることが可能で、しかも押下ヘッドの押下ストロークを可変にすることができる。
【発明を実施するための最良の形態】
【００１７】
以下、図１から図４を参照し、この発明の第１実施形態について説明する。本実施形態に係る吐出器１０には、図示されない容器体の口部に上方付勢状態で立設されるステム１１と、ステム１１の上端に取り付けられるとともに、ノズル孔１２が形成された押下ヘッド１５と、ステム１１が上下動自在に挿入された挿通孔１９ａを有する天壁部１７、および天壁部１７の外周縁から下方に向けて延設された装着周壁部１８を備え、容器体の口部に装着される装着キャップ２０と、が備えられている。
【００１８】
図示の例では、押下ヘッド１５には、下方に向けて延設されて内部にステム１１が嵌合された嵌合筒部１４と、下方に向けて延設されて嵌合筒部１４をその径方向外方から囲繞する囲繞筒部（第１筒体）２７と、が備えられている。なお、囲繞筒部２７の外径は、装着周壁部１８の内径よりも小さくなっている。
また、装着キャップ２０には、天壁部１７において挿通孔１９ａの外周縁部に上方に向けて延設されたガイド筒部（第２筒体）１９が備えられ、このガイド筒部１９の内側および挿通孔１９ａ内に、嵌合筒部１４が上下動自在に挿入されている。なお、挿通孔１９ａの内径はガイド筒部１９の内径と同等になっている。さらに、囲繞筒部２７の内径はガイド筒部１９の外径よりも大きくなっており、押下ヘッド１５を押し下げたときに、囲繞筒部２７の内周面とガイド筒部１９の外周面とが径方向で対向するようになっている。また、このガイド筒部１９が、吐出器１０において囲繞筒部２７の下端縁と装着キャップ２０の天壁部１７との間に位置する中間部分となっている。
【００１９】
また、吐出器１０には、押下ヘッド１５およびステム１１に連係した液用ピストン２１と、内部をこの液用ピストン２１が上下方向に摺動する液用シリンダ２２と、押下ヘッド１５に連係した空気用ピストン２３が内部を上下方向に摺動するとともに、装着キャップ２０の内側に取り付けられた空気用シリンダ２４と、液用シリンダ２２からの液体と空気用シリンダ２４からの空気とが合流する気液混合室２５と、ノズル孔１２と気液混合室２５との間に設置された発泡部材２６と、が備えられている。
【００２０】
そして、以上の吐出器１０を、図示されない容器体の口部に装着した状態で押下ヘッド１５をステム１１とともに押し下げて液用シリンダ２２内の液体および空気用シリンダ２４内の空気を加圧することにより、これらの液体および空気を、気液混合室２５に移送して合流させ発泡部材２６を通して発泡させてノズル孔１２から吐出するようになっている。
なお、以上のステム１１、装着キャップ２０、液用ピストン２１、液用シリンダ２２、空気用ピストン２３、空気用シリンダ２４および発泡部材２６は全て、筒状体とされるとともに、共通軸と同軸上に位置させられて吐出器１０に備えられている。
【００２１】
ここで、押下ヘッド１５の外周縁部には下方に向けて環状凸部２８が突設されている。また、押下ヘッド１５の下面には、その径方向に沿って延在し囲繞筒部２７および環状凸部２８を貫通するノズル筒部２９が設けられており、このノズル筒部２９の一端開口部は嵌合筒部１４の内部に開口し、他端開口部は環状凸部２８よりも径方向外方に位置させられて前述のノズル孔１２となっている。
【００２２】
さらに、囲繞筒部２７の下端部は、嵌合筒部１４の下端部よりも上方に位置し、かつ押下ヘッド１５およびステム１１が上昇端位置に位置した状態で、径方向内側で装着キャップ２０のガイド筒部１９の上端部と対向している。
そして、このガイド筒部１９の上端部外周面にはその全周にわたって環状突部１６が突設されている。
また、押下ヘッド１５の囲繞筒部２７の下端部内周面には、筒部材１３が嵌合されている。図示の例では、囲繞筒部２７の内周面において下端部には他の部分よりも大径になるように環状凹部が形成されており、筒部材１３はこの囲繞筒部２７の下端部内周面に上側から支持された状態で嵌合している。さらに、この筒部材１３は、囲繞筒部２７における前記他の部分の内周面よりも径方向内方に突出し、かつ囲繞筒部２７の下端縁を覆っている。
【００２３】
以上より、押下ヘッド１５およびステム１１がその上昇端位置に位置した状態で、前記環状突部１６と筒部材１３とが近接若しくは当接するようになっている。なお、筒部材１３を形成する各材質としては、例えば、ポリオレフィン、ポリエステルなどの一般的な合成樹脂や、オレフィン系、スチレン系、若しくはポリエステル系等の熱可塑性のエラストマ材料などのゴム状弾性体等が挙げられる。
【００２４】
そして、本実施形態では、ガイド筒部１９の外周面に、一端縁３０ａが囲繞筒部２７の下端縁に下側から近接若しくは当接し、他端縁３０ｂが装着キャップ２０の天壁部１７上に位置する筒状のストッパ部材３０が着脱可能に嵌合されている。
ストッパ部材３０は、他端側の大径部３１とガイド筒部１９の外周面に嵌合する一端側の小径部３２とを有する二段筒状に形成されている。また、これらの大径部３１および小径部３２は同軸上に配置されている。さらに、大径部３１の内径は、囲繞筒部２７の外径よりも大きくなっている。
【００２５】
ここで、大径部３１と小径部３２とは径方向に延びるフランジ状部３３を介して連結されている。そして、このフランジ状部３３には上下方向に貫通する貫通孔３６が形成されている。図示の例では、貫通孔３６は、フランジ状部３３に周方向に略等間隔をあけて複数形成されており、その平面視形状は矩形状となっている。
また、ストッパ部材３０には、その軸線方向における全長にわたって延びる開口部３４が形成されて上面視Ｃ字状に形成されている。図示の例では、開口部３４の開口角度θは例えば約１１０°となっている。
【００２６】
さらに、小径部３２の外周面には径方向外方に向けてつまみ部３５が突設されている。このつまみ部３５は、小径部３２の外周面の周方向中央部、つまりこのストッパ部材３０の軸線を径方向で挟んだ開口部３４の周方向中央部の反対に位置する部分に設けられている。図示の例では、つまみ部３５は、その平面視において、小径部３２の外周面に連結されてその径方向に沿って延びる連結部３５ａと、この連結部３５ａの径方向外方端に連結されて前記径方向に直交する方向に延びる先端部３５ｂとを備え、概略Ｔ字状に形成されている。そして、先端部３５ｂの先端面は、大径部３１の外周面よりも径方向内方に位置している、若しくはストッパ部材３０の平面視で大径部３１の外周面上に位置している。さらに、つまみ部３５の前記軸線方向における長さは、小径部３２の外周面における前記軸線方向の長さと同等になっている。
【００２７】
また、本実施形態では、小径部３２の内周面には、その周方向に間隔をあけて複数の支持突部３７が突設され、これらの支持突部３７がガイド筒部１９の外周面に当接した状態で、小径部３２内にガイド筒部１９が嵌合されている。図示の例では、各支持突部３７は、軸線方向に長い長方形状に形成されている。また、支持突部３７の軸線方向における両端部は、小径部３２の軸線方向における両端部よりも内側に位置している。
なお、以上のストッパ部材３０は、例えば金型内に樹脂を供給することにより一体に成形される。
【００２８】
以上説明したように本実施形態に係る吐出器１０によれば、ガイド筒部１９の外周面に、一端縁３０ａが囲繞筒部２７の下端縁に下側から近接若しくは当接し、他端縁３０ｂが装着キャップ２０の天壁部１７上に位置するストッパ部材３０が着脱可能に嵌合されているので、流通過程で、押下ヘッド１５が例えば不意に作用した外力等によって押し下げられようとしても、この移動をストッパ部材３０により阻止することが可能になり、内容物がノズル孔１２から吐出されるのを防ぐことができる。
【００２９】
しかも、ストッパ部材３０が、その軸線方向における全長にわたって延びる開口部３４が形成された上面視Ｃ字状に形成されているので、開口部３４の幅を広げるようにこのストッパ部材３０を弾性変形させ易くすることが可能になり、ストッパ部材３０を容易にガイド筒部１９の外周面に着脱することができる。したがって、ストッパ部材３０を一旦取り外した後に再度これを取り付けて用いることができるとともに、操作性を向上させることができる。
【００３０】
さらにまた、ストッパ部材３０をガイド筒部１９から一旦取り外した後に上下反転させて前記一端縁３０ａを装着キャップ２０の天壁部１７上に位置させた状態で、小径部３２をガイド筒部１９の外面に嵌合すると、大径部３１の内径が囲繞筒部２７の外径よりも大きくなっているので、この囲繞筒部２７の下端縁と、フランジ状部３３の内面とが、上下方向で対向することになる。すなわち、ストッパ部材３０を上下反転させてガイド筒部１９の外面に小径部３２を嵌合することにより、押下ヘッド１５の押下ストロークを、ストッパ部材３０を取り外したときの押下ストロークと比べて小径部３２の高さ分だけ小さくすることが可能になり、押下ヘッド１５の押下ストロークを可変にすることができる。
【００３１】
また、ストッパ部材３０の小径部３２の内周面に突設された支持突部３７がガイド筒部１９の外周面に当接しているので、小径部３２の内周面とガイド筒部１９の外周面との間に隙間が設けられることになり、これらが互いに密接することによってストッパ部材３０がガイド筒部１９から取り外し難くなるのを防止することができる。
【００３２】
さらに、小径部３２と大径部３１との間のフランジ状部３３に貫通孔３６が形成されているので、前述のようにストッパ部材３０を上下反転させた状態でガイド筒部１９の外面に小径部３２を嵌合して内容物を使用する過程で、ストッパ部材３０の内部に大径部３１側の開口部から水等が入り易くなったとしても、この水等を貫通孔３６を通して外部に排出し易くすることが可能になる。
【００３３】
また、ストッパ部材３０につまみ部３５が設けられているので、このつまみ部３５をつまんでストッパ部材３０をガイド筒部１９に対して径方向外方に向けて引っ張ることで容易にガイド筒部１９から取り外すことが可能になる。
さらに、このつまみ部３５が小径部３２に設けられ、その先端が大径部３１の外周面よりも径方向内方に位置している、若しくはストッパ部材３０の平面視で大径部３１の外周面上に位置しているので、ストッパ部材３０につまみ部３５を設けたことによって、吐出器１０やこの吐出器１０が装着された容器の搬送性が害されるのを防ぐこともできる。
【００３４】
次に、本発明に係る吐出器の第２実施形態を、図５を参照して説明する。なお、この第２実施形態においては、第１実施形態における構成要素と同一の部分については、同一の符号を付してその説明を省略し、異なる点についてのみ説明する。
本実施形態の吐出器４０では、囲繞筒部２７の外周面、および大径部３１の内周面にそれぞれ、ストッパ部材４１を上下反転させた状態でガイド筒部１９の外面に小径部３２を嵌合して押下ヘッド１５を押し下げたときに、互いに係合可能な第１係合部４２および第２係合部４３が各別に形成されている。さらに、ストッパ部材４１の小径部３２は、ガイド筒部１９の外面に上下摺動自在に嵌合されている。
【００３５】
図示の例では、囲繞筒部２７の外周面に形成された第１係合部４２は、径方向外方に向けてその全周にわたって突設された環状突部とされるとともに、大径部３１の内周面に形成された第２係合部４３は、径方向内方に向けてその全周にわたって突設された環状突部となっている。なお、第１係合部４２は、囲繞筒部２７の外周面における下端部に形成され、第２係合部４３は、大径部３１の内周面において小径部３２側に位置する部分に形成されている。
【００３６】
以上より、ストッパ部材４１を上下反転させてガイド筒部１９の外周面に取り付けた後に押下ヘッド１５を押し下げると、囲繞筒部２７が大径部３１内に進入し、囲繞筒部２７の外周面および大径部３１の内周面にそれぞれ形成された第１係合部４２と第２係合部４３とが互いに係合することになる。そして、押下ヘッド１５の押し下げを解除すると、囲繞筒部２７が大径部３１内に進入したままの状態で押下ヘッド１５とともにストッパ部材４１も上昇し、その後、押下ヘッド１５の上下動にストッパ部材４１が追従して、このストッパ部材４１の一端縁３０ａが装着キャップ２０の天壁部１７に対して上下方向に接近離間することになる。
【００３７】
以上説明したように本実施形態に係る吐出器４０によれば、ストッパ部材４１を上下反転させた状態で小径部３２をガイド筒部１９の外面に嵌合して内容物を使用する過程で、囲繞筒部２７を大径部３１内に進入させておくことが可能になり、ストッパ部材４１の内部に大径部３１側の開口部から水等を入り難くすることができる。
この構成において、前述のようにストッパ部材４１の小径部３２の内周面に支持突部３７を突設し、この支持突部３７をガイド筒部１９の外周面に当接させるようにすると、押下ヘッド１５の上下動にストッパ部材４１が追従する際に、ガイド筒部１９の外周面とストッパ部材４１の小径部３２の内周面との間に発生する摩擦力を抑えることが可能になり、例えば押下ヘッド１５の押し下げを解除しても押下ヘッド１５およびストッパ部材４１が上昇端位置まで戻れなくなる等といった不具合の発生を防ぐことができる。
【００３８】
なお、本実施形態では、第１係合部４２および第２係合部４３をともに環状突部としたが、これに代えていずれか一方を環状溝部にし、他方をこの環状溝部に係合可能な環状突部としてもよい。また、第１係合部４２および第２係合部４３は、周方向に沿って断続的に延びる突部や溝部にしてもよい。
【００３９】
次に、本発明に係る吐出器の第３実施形態を、図６から図８を参照して説明する。なお、この第３実施形態においては、第１実施形態および第２実施形態における構成要素と同一の部分については、同一の符号を付してその説明を省略し、異なる点についてのみ説明する。
【００４０】
本実施形態の吐出器５０では、ストッパ部材５１における大径部３１の内周面に、囲繞筒部２７に形成された第１係合部４２が係合可能な第２係合突部５２が周方向に間隔をあけて複数形成されている。この第２係合突部５２は、周方向に長い直方体状に形成され、この第２係合突部５２において、ストッパ部材５１を上下反転させてガイド筒部１９の外面に小径部３２を嵌合したときに、上方を向く表面５２ａが径方向内方に向かうに従い下方に向けて延びる傾斜面となっている。
【００４１】
また、大径部３１において各第２係合突部５２に小径部３２側から各別に連なる複数の連設部分からそれぞれ、フランジ状部３３において各第２係合突部５２の径方向内方端５２ｂよりも径方向内方に位置する部分に至る貫通孔５３が各別に形成されている。さらに、貫通孔５３の周長と第２係合突部５２の周長とは互いに同等になっている。また、第２係合突部５２における小径部３２側を向く表面は径方向に沿って延びている。
【００４２】
本実施形態に係る吐出器５０においても、前記第２実施形態と同様の作用効果を有するとともに、ストッパ部材５１を金型内に樹脂を供給して成形する場合に、金型構造が複雑になることを防止でき、かつ型開き時に第２係合突部５２に大きな負荷が作用して変形するのを防ぐことが可能になり、第２係合突部５２を精度良く形成することができる。
【００４３】
なお、本発明の技術的範囲は前記実施の形態に限定されるものではなく、本発明の趣旨を逸脱しない範囲において種々の変更を加えることが可能である。
例えば、前記実施形態では、吐出器１０として、ノズル孔１２から泡状の液体を吐出するいわゆるフォーマポンプを示したが、これに代えて例えば、空気用ピストン２３、空気用シリンダ２４、気液混合室２５、および発泡部材２６等を有さず、液体を泡立たせずにノズル孔１２から吐出するポンプにも適用可能である。
さらにまた、液用ピストン２１および液用シリンダ２２を有するポンプ式の吐出器に代えて、例えば液用ピストン２１および液用シリンダ２２を有さない、いわゆるエアゾール式の吐出器においても適用可能である。
そして、以上の各構成において、下端縁がストッパ部材３０、４１、５１の一端縁３０ａに上側から近接若しくは当接し、かつこのストッパ部材３０、４１、５１を上下反転させて取り付けたときに大径部３１内に進入する第１筒体として、囲繞筒部２７に代えて例えば、嵌合筒部１４等にしてもよい。また、小径部３２内に嵌合させる、吐出器１０、４０、５０において第１筒体の下端縁と装着キャップ２０の天壁部１７との間に位置する中間部分として、ガイド筒部１９に代えて例えば、天壁部１７から上方に向けて突出したステム１１、または天壁部１７から上方に向けて突出した、若しくは天壁部１７の上方に位置する嵌合筒部１４等にしてもよい。
【００４４】
また、前記実施形態では、ストッパ部材３０、４１、５１の小径部３２の内周面に複数の支持突部３７を突設したが、これらの支持突部３７は設けなくてもよい。
さらに、フランジ状部３３に貫通孔３６を形成したが、この貫通孔３６は１つだけ形成してもよいし、全く形成しなくてもよい。
また、つまみ部３５は設けなくてもよい。
さらに、囲繞筒部２７に筒部材１３を嵌合してこれら２７、１３を別部材とした構成を示したが、一体に形成してもよい。
さらにまた、環状凸部２８を有しない押下ヘッド１５を採用してもよい。
【００４５】
また、前記各実施形態で示したストッパ部材３０、４１、５１に代えて、図９に示されるようなストッパ部材６１を採用してもよい。
このストッパ部材６１の小径部３２および大径部３１にはそれぞれ、前記軸線方向における全長にわたって延びる薄肉部３２ａが形成されている。なお、図示の例では、薄肉部３２ａは、小径部３２および大径部３１の内周面において周方向の中央部に形成されている。また、この薄肉部３２ａの周長は、小径部３２の内周面における周長の約３分の１となっている。
さらに、フランジ状部３３の周方向における中央部には、周方向に長い貫通孔６２が形成されている。この貫通孔６２は、フランジ状部３３において薄肉部３２ａと対応する位置に形成されている。薄肉部３２ａのうち大径部３１に形成された部分は、貫通孔６２の内周面において径方向外側に位置し周方向に沿って延びる部分と面一になっている。なお、薄肉部３２ａは、小径部３２および大径部３１の外面に形成してもよく、その周方向位置は適宜変更してもよい。
さらに、つまみ部３５は、大径部３１の外周面における周方向の中央部に設けられている。
【００４６】
以上のストッパ部材６１では、薄肉部３２ａおよび貫通孔６２が形成されているので、小径部３２を前記開口部３４の幅を広げるように変形させ易くすることが可能になり、このストッパ部材６１を容易に着脱することができる。
また、フランジ状部３３に貫通孔６２が形成されているので、前述のようにストッパ部材６１を上下反転させた状態でガイド筒部１９の外面に小径部３２を嵌合して内容物を使用する過程で、ストッパ部材６１の内部に大径部３１側の開口部から水等が入り易くなったとしても、この水等を貫通孔６２を通して外部に排出し易くすることが可能になる。
【００４７】
なお、前記容器体に収納される液体は、従来から存在する吐出器付き容器を利用することが可能な組成物であれば、特に限定されるものではなく、例えば、従来公知の液体洗浄剤組成物または殺菌剤組成物等が挙げられる。
前記液体洗浄剤組成物としては、例えばシャンプー、リンス若しくはボディソープ等の身体用液体洗浄剤組成物、あるいは例えば風呂洗浄剤、シンク洗浄剤、食器洗浄剤若しくは自動車ボディの洗浄剤等の硬表面用液体洗浄剤組成物、さらには例えば衣類の洗剤、柔軟剤若しくは仕上げ剤等の衣料用液体洗浄剤組成物が挙げられる。
前記殺菌剤組成物としては、例えば手指や皮膚等を殺菌する身体用殺菌剤組成物、あるいは例えば食器や衣料等を殺菌する日用品用殺菌剤組成物が挙げられる。
従来から存在する吐出器付き容器を利用することが可能な組成物の一例を表１に示す。
【００４８】
【表１】
0005064180.tif 000002
【産業上の利用可能性】
【００４９】
需要者において内容物の使用に際し一旦ストッパ部材を取り外しても、再度これを取り付けて用いることが可能で、しかも押下ヘッドの押下ストロークを可変にすることができる。
【図面の簡単な説明】
【００５０】
【図１】本発明に係る第１実施形態として示した吐出器において、ストッパ部材の一端縁が第１筒体の下端縁に下側から近接若しくは当接し、他端縁が装着キャップの天壁部上に位置している状態を示す一部縦断面図である。
【図２】図１に示す吐出器において、ストッパ部材を上下反転させて取り付けた状態を示す一部縦断面図である。
【図３】図２に示すストッパ部材の上面図である。
【図４】図３に示すストッパ部材のＡ−Ａ線矢視図である。
【図５】本発明に係る第２実施形態として示した吐出器において、ストッパ部材を上下反転させて取り付けた状態を示す一部縦断面図である。
【図６】本発明に係る第３実施形態として示した吐出器において、ストッパ部材を上下反転させて取り付けた状態を示す一部縦断面図である。
【図７】図６に示すストッパ部材の上面図である。
【図８】図７に示すストッパ部材のＡ−Ａ線矢視図である。
【図９】本発明の吐出器が有するストッパ部材の変形例を示す斜視図である。
【符号の説明】
【００５１】
１０、４０、５０  吐出器
１１  ステム
１２  ノズル孔
１４  嵌合筒部
１５  押下ヘッド
１７  天壁部
１８  装着周壁部
１９  ガイド筒部（第２筒体、中間部分）
１９ａ  挿通孔
２０  装着キャップ
２１  液用ピストン
２２  液用シリンダ
２３  空気用ピストン
２４  空気用シリンダ
２５  気液混合室
２６  発泡部材
２７  囲繞筒部（第１筒体）
３０ａ  一端縁
３０ｂ  他端縁
３０、４１、５１、６１  ストッパ部材
３１  大径部
３２  小径部
３２ａ  薄肉部
３３  フランジ状部
３４  開口部
３５  つまみ部
３６、５３、６２  貫通孔
３７  支持突部
４２  第１係合部（係合部）
４３  第２係合部（係合部）
５２  第２係合突部（係合部）
【図１】
0005064180.tif 000003
【図２】
0005064180.tif 000004
【図３】
0005064180.tif 000005
【図４】
0005064180.tif 000006
【図５】
0005064180.tif 000007
【図６】
0005064180.tif 000008
【図７】
0005064180.tif 000009
【図８】
0005064180.tif 000010
【図９】
0005064180.tif 000011